(57)【特許請求の範囲】
【請求項１】
前面側に矩形の開放口を有する箱状あるいは枠状の本体側に対して開閉される扉を開閉操作するための扉操作機構であって、
軸芯を前記開放口の上下方向に沿わせ且つ互いの先端を対向させて前記本体側に固定された上下一対のヒンジ軸の組を前記開放口の左右の辺に沿ってそれぞれ１組ずつ配置し、
前記ヒンジ軸を挿通可能な幅で前記扉を閉じた際に前記本体側になる端が開放端で他端が閉鎖端とされて前記ヒンジ軸のそれぞれに対応して前記扉に設けられた軸挿通溝と、
前記軸挿通溝のそれぞれに対応して配され、前記軸挿通溝の閉鎖端側に挿通された前記ヒンジ軸の前記開放端側への移動を阻止する拘束位置と該挿通された前記ヒンジ軸の前記開放端側への移動を許す解放位置とに変位可能で、付勢部材により前記拘束位置側に付勢され、前記開放端から閉鎖端に向かって前記ヒンジ軸を相対移動させた際には該ヒンジ軸によって押圧されることにより前記付勢手段による付勢力に抗して前記解放位置側に変位し該ヒンジ軸の通過を許す規制部材と、
前記扉を開く際に手をかけるために、前記扉の右辺に開口して設けられた右凹陥部及び前記扉の左辺に開口して設けられた左凹陥部と、
前記扉の右辺側に配されて前記扉を開くための外力を及ぼされると該外力によって閉扉位置から開扉位置に変位し、該変位に伴って前記右辺側の上下の規制部材を共に前記解放位置に変位させる右側開扉手段であって、
横断面形状がＬ字状で、その片葉が取っ手部、他葉が駆動部とされ、前記取っ手部を前記右凹陥部内に突出させて前記扉の内部に配され、前記取っ手部と前記駆動部との連結部分を貫通する軸を介して前記扉に取付けられた解錠部材と、
前記取っ手部に前記扉を開くための外力を及ぼされて前記解錠部材が前記軸を中心にして揺動変位させられると、前記駆動部によって回転変位させられる上下一対の回動部材と、
該回転変位させられた上の回動部材によって押し上げられて前記上の規制部材を前記解放位置に変位させる突上棒と、
該回転変位させられた下の回動部材によって押し下げられて前記下の規制部材を前記解放位置に変位させる押下棒と
を含んで構成される右側開扉手段と、
前記右側開扉手段と左右対称な構造であり、前記扉の左辺側に配されて前記扉を開くための外力を及ぼされると該外力によって閉扉位置から開扉位置に変位し、該変位に伴って前記左辺側の上下の規制部材を共に前記解放位置に変位させる左側開扉手段と
を前記扉に備えた
ことを特徴とする扉操作機構。
【発明の詳細な説明】
【０００１】
【発明の属する技術分野】
本発明は、扉を開閉操作するための扉操作機構に関する。
【０００２】
【従来の技術】
従来、例えば家具などの扉は向かって左側あるいは右側にて蝶番等により本体側に連結され、その蝶番等を軸として揺動させることで開閉されていた。
【０００３】
【発明が解決しようとする課題】
このような構造であると、扉の開閉範囲に扉と干渉する物体を置くわけにいかないので、例えば左側を軸として開閉されるドアの左側に家具などを置くことができなかった。また、これが家具の扉であれば、その左側または右側を壁から離して設置して扉が壁などに当たらないようにする必要があった。すなわち、扉の周囲での物の配置あるいは扉を備える家具などの置き場所が制限されることがあった。
【０００４】
あるいは、例えばゴルフ場のクラブハウスのロッカー等のように扉が並ぶ場合に、扉の開く方向が左側であれば、自分が使おうとするロッカーの左側のロッカーを使用している人があると扉を開けにくく、隣の人が立ち去るのをまってから扉を開いたり、隣の人に当たらないように遠慮しながら扉を開くといった不自由なことがあった。
【０００５】
このように扉の開放される方向が決まっている場合には避けられない不都合があった。本発明は、このような不都合を回避することを目的としている。
【０００６】
【課題を解決するための手段および発明の効果】
上記課題を解決するための請求項１記載の扉操作機構は、前面側に矩形の開放口を有する箱状あるいは枠状の本体側に対して開閉される扉を開閉操作するための扉操作機構であって、軸芯を前記開放口の上下方向に沿わせ且つ互いの先端を対向させて前記本体側に固定された上下一対のヒンジ軸の組を前記開放口の左右の辺に沿ってそれぞれ１組ずつ配置し、前記ヒンジ軸を挿通可能な幅で前記扉を閉じた際に前記本体側になる端が開放端で他端が閉鎖端とされて前記ヒンジ軸のそれぞれに対応して前記扉に設けられた軸挿通溝と、前記軸挿通溝のそれぞれに対応して配され、前記軸挿通溝の閉鎖端側に挿通された前記ヒンジ軸の前記開放端側への移動を阻止する拘束位置と該挿通された前記ヒンジ軸の前記開放端側への移動を許す解放位置とに変位可能で、付勢部材により前記拘束位置側に付勢され、前記開放端から閉鎖端に向かって前記ヒンジ軸を相対移動させた際には該ヒンジ軸によって押圧されることにより前記付勢手段による付勢力に抗して前記解放位置側に変位し該ヒンジ軸の通過を許す規制部材と、
前記扉を開く際に手をかけるために、前記扉の右辺に開口して設けられた右凹陥部及び前記扉の左辺に開口して設けられた左凹陥部と、
前記扉の右辺側に配されて前記扉を開くための外力を及ぼされると該外力によって閉扉位置から開扉位置に変位し、該変位に伴って前記右辺側の上下の規制部材を共に前記解放位置に変位させる右側開扉手段であって、
横断面形状がＬ字状で、その片葉が取っ手部、他葉が駆動部とされ、前記取っ手部を前記右凹陥部内に突出させて前記扉の内部に配され、前記取っ手部と前記駆動部との連結部分を貫通する軸を介して前記扉に取付けられた解錠部材と、
前記取っ手部に前記扉を開くための外力を及ぼされて前記解錠部材が前記軸を中心にして揺動変位させられると、前記駆動部によって回転変位させられる上下一対の回動部材と、該回転変位させられた上の回動部材によって押し上げられて前記上の規制部材を前記解放位置に変位させる突上棒と、該回転変位させられた下の回動部材によって押し下げられて前記下の規制部材を前記解放位置に変位させる押下棒とを含んで構成される右側開扉手段と、
前記右側開扉手段と左右対称な構造であり、前記扉の左辺側に配されて前記扉を開くための外力を及ぼされると該外力によって閉扉位置から開扉位置に変位し、該変位に伴って前記左辺側の上下の規制部材を共に前記解放位置に変位させる左側開扉手段とを前記扉に備えたことを特徴としている。
【０００７】
この扉操作機構では、軸芯を開放口の上下方向に沿わせ且つ互いの先端を対向させて、すなわち一方は本体側の上辺側から下向きに他方は下辺側から上向きに本体側に固定された上下一対のヒンジ軸の組を、開放口の左右の辺に沿ってそれぞれ１組ずつ配置している。つまり左辺側に２本、右辺側に２本、合計４本のヒンジ軸がある。なお、対をなすヒンジ軸の軸芯は、扉の開閉を妨げなければ同軸でなくてもよい。また、例えば家具類ならその箱状の部分が本体側となり、部屋のドア等であれば出入口を形成する枠状の部分が本体側となる。
【０００８】
これらヒンジ軸の相手方となる軸挿通溝は、ヒンジ軸を挿通可能な幅であり、扉を閉じた際に本体側になる端が開放端で他端が閉鎖端とされて扉に設けられる。この軸挿通溝は、例えば扉をプラスチック製として、その一部を溝状に成形して設けることもできるし、例えば金属製の部品を用いて扉とは別体で製造しておいて、これを扉に取付ける手法も採用できる。
【０００９】
軸挿通溝のそれぞれに対応して配される規制部材は、例えば揺動により、軸挿通溝の閉鎖端側に挿通されたヒンジ軸の開放端側への移動を阻止する拘束位置と挿通されたヒンジ軸の開放端側への移動を許す解放位置とに変位する部材である。この規制部材は、付勢部材により拘束位置側に付勢され、開放端から閉鎖端に向かってヒンジ軸を相対移動させた際にはヒンジ軸によって押圧されることにより付勢手段による付勢力に抗して解放位置側に変位し該ヒンジ軸の通過を許す。
【００１０】
したがって、扉の各軸挿通溝を対応する各ヒンジ軸に合わせるようにして扉を本体側に対面させ、そのまま扉を本体側に押し付けるようにすれば、扉の移動に伴ってヒンジ軸が軸挿通溝の開放端から閉鎖端に向かって相対移動し、そのヒンジ軸は規制部材を押圧して付勢手段による付勢力に抗してこれを解放位置側に変位させ、軸挿通溝の開放端から閉鎖端へと通過する。ヒンジ軸が通過してしまえば、規制部材は付勢手段の付勢力によって拘束位置に復帰するから、軸挿通溝の閉鎖端側に挿通されたヒンジ軸の開放端側への移動は阻止される。こうして、扉は本体側に取付けられる。
【００１１】
このように、扉を本体側に対面させ、そのまま本体側に押し付けるようにするだけで扉を本体側に取付けることができる。すなわち、扉の平行移動という一動作で取付けができるから、その作業能率は向上し、扉の取付けに当たって扉を長時間にわたって持ち上げておく必要もない。
【００１２】
しかも、例えば右側開扉手段に扉を開くための外力を及ぼせば、それによって右辺側の上下の規制部材を共に解放位置に変位させることができるので、右辺側の上下のヒンジ軸は軸挿通溝の閉鎖端側から開放端側への移動が可能になる。一方、左辺側の上下のヒンジ軸は軸挿通溝内に拘束されている。よって、扉を左辺側のヒンジ軸を軸として開放できる。同様に、左側開扉手段に扉を開くための外力を及ぼした場合には右辺側のヒンジ軸を軸として扉を開放できる。
【００１３】
また、開放した扉を閉じる方向に揺動させれば、上述の取付けの場合と同様に、右辺側の上下のヒンジ軸がそれぞれ軸挿通溝の開放端から閉鎖端に向かって相対移動し、そのヒンジ軸は規制部材を押圧して付勢手段による付勢力に抗してこれを解放位置側に変位させ、軸挿通溝の開放端から閉鎖端へと通過する。ヒンジ軸が通過してしまえば、規制部材は付勢手段の付勢力によって拘束位置に復帰するから、軸挿通溝の閉鎖端側に挿通されたヒンジ軸の開放端側への移動は阻止され、扉は閉鎖状態にされる。同様に、左側開扉手段に扉を開いた場合には右辺側のヒンジ軸を軸として扉を閉鎖できる。
【００１４】
このように、扉を左右任意の側で開閉できるから、例えば扉の左側に家具や壁があったり誰か他の人が居るようなときには右側に開放すればよいし、右側にこれらのような障害物があれば左側に開放すればよい。よって、扉の周囲での物の配置あるいは扉を備える家具などの置き場所が制限されることはなくなり、また、ロッカー等で隣の人が立ち去るのをまってから扉を開いたり、隣の人に当たらないように遠慮しながら扉を開くといった不自由なこともなくなる。
【００１５】
【発明の実施の形態】
次に、本発明の実施例を図面を参照して説明することにより、発明の実施の形態を具体的に説明する。
【００１６】
【実施例】
この例は、本発明を冷蔵庫の扉に適用した例である。
図１に示すように、冷蔵庫１０は箱状の本体１２および本体１２に対して開閉される扉１４を備えている。本体１２の前面側の上部は、上縁部１２ａとして扉１４の上側に突出し、同じく下部は下縁部１２ｂとして扉１４の下側で突出している。扉１４の左右の辺には扉１４を開く際に手をかけるための凹陥部１８ａ、１８ｂが設けられている。また、扉１４の四隅には本発明の扉操作機構の一部となるヒンジ機構１６ａ、１６ｂ、１６ｃ、１６ｄが配され、ヒンジ機構１６ａ、１６ｂ間には、それらヒンジ機構１６ａ、１６ｂを操作するための右側開扉手段に該当する右解錠機構２０ａが配され、ヒンジ機構１６ｃ、１６ｄ間には、それらヒンジ機構１６ｃ、１６ｄを操作するための左側開扉手段に該当する左解錠機構２０ｂが配されている。なお、冷蔵庫１０の冷却のための機構や本体１２の内部の棚等は周知であるので図示および説明を省略する。
【００１７】
次に、これらヒンジ機構１６ａ〜１６ｄについて説明するが、ヒンジ機構１６ａとヒンジ機構１６ｂとは互いに上下を反転させた対称形態で、ヒンジ機構１６ａ、１６ｂとヒンジ機構１６ｃ、１６ｄとは互いに左右対称な形態であるので、ヒンジ機構１６ａにて代表して構造を詳細に説明し、ヒンジ機構１６ｂ〜１６ｄの説明は省略する。
【００１８】
図２に示すように、本体１２の上縁部１２ａには、下向きにヒンジ軸２２が取付けられ、ヒンジ軸２２の基部にはリング状の滑部材２４が外嵌されている。また、図４および図５に示すように、下縁部１２ｂには、ヒンジ軸２２とほぼ同軸にヒンジ軸２６が立設され、滑部材２８が外嵌されている。
【００１９】
一方、図２に示すように、扉１４には、扉１４を閉じた際にヒンジ軸２２に対面する位置に軸受６２が設置されている。詳しくは図２（ｂ）、（ｃ）に示されるように軸受６２は扉１４の内部に収容されており、扉１４を閉じたときには軸受６２の軸挿通溝７８にヒンジ軸２２が挿通される。なお、これらヒンジ軸２２と軸受６２とでヒンジ機構１６ａが構成され、他のヒンジ機構１６ｂ〜１６ｄも同様である。
【００２０】
図２および図３に示すように、軸受６２は、Ｌ字状の軸受本体６４、規制部材に該当する揺動板６６、軸受本体６４に立設されたピン６８と揺動板６６とに掛け渡された付勢手段としての引っ張りコイルバネ７０とから構成されている。
軸受本体６４には、鉛直部７２から水平部７４にかけて打抜孔７６が設けられ、その打抜孔７６の内で水平部７４に設けられている部分が軸挿通溝７８となっている。図２（ｂ）および図３（ｃ）に示されるように、軸挿通溝７８は入口側（鉛直部７２側）で広がる略Ｕ字状をしており、図２（ｃ）に示されるように、この入口側が冷蔵庫１０の本体１２側に向けられている。
【００２１】
また、図３に示すように、打抜孔７６の鉛直部７２に設けられた部分の一辺側には段差８０が設けられている。揺動板６６には、一対のくびれ８２ａ、８２ｂが設けられており、このくびれ８２ａ、８２ｂ部分を打抜孔７６の下辺部に位置させて、打抜孔７６を貫通している。揺動板６６の一方のくびれ８２ａは段差８０と互いに噛み合っており、他方のくびれ８２ｂは鉛直部７２の一部を挿通させている。また、揺動板６６にはバネ孔８４が穿設され、このバネ孔８４に引っ張りコイルバネ７０の一方の端が連結されている。このため、揺動板６６には、くびれ８２ａ、８２ｂ付近を支点として揺動可能であり、通常は引っ張りコイルバネ７０の付勢力によって先端８６を水平部７４の下面に当接させている。このとき、図２（ｂ）および図３（ｃ）に示されるように揺動板６６の先端８６が軸挿通溝７８を閉じる状態になっている。なお、くびれ８２ａは、揺動板６６が軸受本体６４から離脱するのを防止している。
【００２２】
さらに、図２に示すように、扉１４の内部には、揺動板６６の先端８６の揺動のための空間８７が設けられ、軸受６２の鉛直部７２を挟んで空間８７の反対側には、ヒンジ軸２２を通過させるための空間８９が本体１２側に開口して設けられており、その空間８９の下方に連通して棒用空間９１が設けられている。この棒用空間９１内には突上棒９４が挿通されている。なお、突上棒９４は、その軸方向に昇降可能に、図示しないサポート部材によって保持されている。
【００２３】
次に、右解錠機構２０ａと左解錠機構２０ｂについて説明する。ただし、左解錠機構２０ｂは、右解錠機構２０ａと左右対称な構造であるので、右解錠機構２０ａについてだけ説明し左解錠機構２０ｂの説明は省略する。なお、右解錠機構２０ａとヒンジ機構１６ａ、１６ｂの動きをわかりやすくするために、図４および図５ではヒンジ機構１６ａ、１６ｂ部分（図４（ｃ）、（ｄ）、図５（ｃ）、（ｄ））は鉛直軸回りに９０度回転させた状態で図示している。
【００２４】
図４および図５に示すように、突上棒９４の下端には受板９６が取付けられており、その受板９６の下側には回動部材９８が配されている。この回動部材９８は円盤状の本体部１００、本体部１００の半径方向に沿って外周から突出して設けられた径方向突起１０２、本体部１００に対して直角方向に突出して設けられた軸方向突起１０４および本体部１００の裏面側に立設された軸１０６からなり、扉１４の内部に設けられた軸受孔１０８に軸１０６を挿通させており、軸１０６を中心にして回動自在である。
【００２５】
この回動部材９８が収容されている空間１１０は、貫通孔１１２を介して凹陥部１８ａに通じており、空間１１０から凹陥部１８ａにわたって、Ｌ字状の断面形状の解錠部材１１４が配されている。この解錠部材１１４は、凹陥部１８ａに突出する取っ手部１１６と先端部を回動部材９８の軸方向突起１０４に接触させている駆動部１１８とからなり、取っ手部１１６と駆動部１１８の連結部分を貫通する軸１２０を介して扉１４に取付けられており、軸１２０を中心にして揺動自在である。取っ手部１１６の背面側には一方の端部を扉１４に固定された板バネ１２２の自由端側が当接され、取っ手部１１６（すなわち解錠部材１１４）を図において反時計回り方向に付勢している。ただし、図４に示されるように、駆動部１１８が空間１１０に突出している回転規制部１２４に当たるので、解錠部材１１４は、図４に示される状態よりもさらに反時計回り方向に変位することはない。
【００２６】
また、取っ手部１１６に外力を及ぼせば、板バネ１２２の付勢力に抗して解錠部材１１４を時計回り方向に変位させることができる。ただし、この場合には、図５に示されるように取っ手部１１６が凹陥部１８ａの内面に接触すれば、それよりもさらに時計回り方向に変位させることはできない。なお、このとき板バネ１２２は、扉１４に設けられた凹み１２６に収容されるので、取っ手部１１６の揺動変位を妨げない。
【００２７】
さらに、図４および図５に示すように、解錠部材１１４の下側には、回動部材９８と同様の、円盤状の本体部１００ａ、本体部１００ａの外周から突出する径方向突起１０２ａ、本体部１００ａから直角に突出する軸方向突起１０４ａおよび本体部１００ａの裏面側に立設された軸１０６ａからなり、回動部材９８とは上下対称の回動部材９８ａが、図示しない軸受孔に軸１０６ａを回動自在に挿通させて扉１４に取付けられている。
【００２８】
この回動部材９８ａの径方向突起１０２ａの下側には受板９６ａが当接され、その受板９６ａの下面には突上棒９４と同様の押下棒９４ａが取付けられている。この押下棒９４ａは、棒用空間９１と同様の空間（図示略）を貫通しており、その先端は右下隅のヒンジ機構１６ｂの揺動板６６に接触している。なお、押下棒９４ａは、その軸方向に昇降可能に、図示しないサポート部材によって保持され、また図示しないバネによって上向きに（回動部材９８ａ側に）付勢されており、受板９６ａおよび押下棒９４ａが、その荷重で揺動板６６を押し下げることはない。
【００２９】
次に、この右解錠機構２０ａの動作について図４および図５を参照して説明する。前述したように、ヒンジ機構１６ａ、１６ｂ部分は鉛直軸回りに９０度回転させた状態で図示されている。
この右解錠機構２０ａでは、取っ手部１１６に外力が及ぼされていないときには、図４に示されるように、解錠部材１１４は最も反時計回り方向に変位した位置にあり、回動部材９８、９８ａは径方向突起１０２、１０２ａの向きをほぼ水平方向としている。このため、突上棒９４は下降位置にあり押下棒９４ａは上昇位置にある。
【００３０】
ここで、凹陥部１８ａ内に指を差し込んで扉１４を開ける方向に力をかけると、その力はまず取っ手部１１６に作用し、これを時計回り方向に揺動変位させる。すると、図５に示されるように、時計回り方向に揺動変位させられた駆動部１１８が、回動部材９８の軸方向突起１０４および回動部材９８ａの軸方向突起１０４ａを押すので、回動部材９８は反時計回り方向に、回動部材９８ａは時計回り方向に回動させられる。これに伴って、径方向突起１０２が受板９６と共に突上棒９４を押し上げ、径方向突起１０２ａが受板９６ａと共に押下棒９４ａを押し下げる。押し上げられた突上棒９４は、ヒンジ機構１６ａの揺動板６６を押して、その先端８６を下降させる方向に揺動変位させる。また、押し下げられた押下棒９４ａは、ヒンジ機構１６ｂの揺動板６６を押して、その先端８６を上昇させる方向に揺動変位させる。これにより、両ヒンジ機構１６ａ、１６ｂの揺動板６６はヒンジ軸２２、２６を拘束しなくなり、扉１４の右辺側では扉１４と本体１２との連結が解除される。そして、さらに凹陥部１８ａ内に差し込んだ指にて扉１４の右辺を引っ張れば、左辺側のヒンジ機構１６ｃ、１６ｄを軸として扉１４を開放することができる。
【００３１】
同様に、左辺側の凹陥部１８ｂに指を掛けて左解錠機構２０ｂを操作すれば、ヒンジ機構１６ｃ、１６ｄによる本体１２と扉１４との連結を解除して、右辺側のヒンジ機構１６ａ、１６ｂを軸として扉１４を開放することができる。
そして、このようにして開放した扉１４を閉じる方向に揺動させれば、開放された側の上下のヒンジ軸（例えばヒンジ軸２２、２６）がそれぞれ軸挿通溝７８の開放端から閉鎖端に向かって相対移動し、そのヒンジ軸２２、２６は揺動板６６を押圧して引っ張りコイルばね７０による付勢力に抗して揺動板６６の先端８６を解放位置側に変位させながら、軸挿通溝７８の開放端から閉鎖端へと通過する。ヒンジ軸２２、２６が通過してしまえば、揺動板６６は引っ張りコイルばね７０の付勢力によって復帰して先端８６を水平部７４に当接させるから、軸挿通溝７８の閉鎖端側に挿通されたヒンジ軸２２、２６の開放端側への移動は阻止され、扉１４は閉鎖状態にされる。扉１４を左側で開いた場合も、同様にして閉鎖できる。
【００３２】
このように扉１４を左右どちらにでも開閉ができるから、例えば扉１４の左側に家具や壁があったり誰か他の人が居るようなときには右側に開放すればよいし、右側にこれらのような障害物があれば左側に開放すればよい。よって、扉１４の周囲での物の配置あるいは冷蔵庫１０の置き場所が制限されることはなくなるし、扉１４の側に人がいるときでも、その人が立ち去るのをまってから扉１４を開いたり、その人に当たらないように遠慮しながら扉１４を開くといった不自由なこともなくなる。しかも、右利きの人にとっては右解錠機構２０ａを操作しやすく、左利きの人には左解錠機構２０ｂを操作しやすいから、誰でも利き手によって扉１４を開閉操作できる。
【００３３】
また、右解錠機構２０ａおよび左解錠機構２０ｂを同時に操作してヒンジ機構１６ａ、１６ｂおよびヒンジ機構１６ｃ、１６ｄによる本体１２と扉１４との連結を解除し、扉１４を本体１２から引き離せば、扉１４を本体１２から取外すことができる。
【００３４】
製造時に扉１４を本体１２に取付ける場合、あるいは上述のようにして扉１４を外した後に扉１４を本体１２に取付ける場合には、図６に示されるように、軸挿通溝７８内にヒンジ軸２２が入る位置（図６（ａ）参照、他のヒンジ機構１６ｂ、１６ｃ、１６ｄも同様）にして、扉１４を本体１２に向けて平行移動させる。すると、ヒンジ軸２２が揺動板６６に当たってこれを引っ張りコイルバネ７０の付勢力に抗して、先端８６を下降させる方向に揺動変位させる（図６（ｂ）参照）。さらに扉１４と本体１２とが接近しほぼ接触する状態になったときには、ヒンジ軸２２が揺動板６６上を通過して軸挿通溝７８の端部に達する。すると、ヒンジ軸２２による押圧を解除された揺動板６６は、引っ張りコイルバネ７０の付勢力によって先端８６を上昇させて水平部７４の下面に当接させる（図６（ｃ）参照）。これにより、先端８６が軸挿通溝７８を閉じるので、ヒンジ軸２２は軸挿通溝７８の開放端側への移動を阻止される。このとき他のヒンジ機構１６ｂ、１６ｃ、１６ｄも同様の状態となっており、扉１４が本体１２に取付けられたことになる。
【００３５】
このように、扉１４を本体１２に対面させ、そのまま本体１２に押し付けるようにするだけで扉１４を本体１２に取付けでき、右解錠機構２０ａおよび左解錠機構２０ｂを同時に操作して扉１４を本体１２から引き離せば、扉１４を本体１２から取外すことができる。すなわち、扉１４の平行移動という一動作で取付けまたは取り外しができるから、その作業能率は向上し、扉１４の取付け、取り外しに当たって扉１４を長時間にわたって持ち上げておく必要もない。
【００３６】
以上、実施例に従って、本発明の実施の形態について説明したが、本発明はこのような実施例に限定されるものではなく、本発明の要旨を逸脱しない範囲でさまざまに実施できることは言うまでもない。
例えば、実施例は冷蔵庫の扉に本発明を適用しているが、ロッカーや洋箪笥等の家具類の扉、あるいは建具としての扉に本発明を適用することもできる。
【００３７】
また、規制部材を解放位置側に変位させるために、棒で突き上げまたは押し下げる構造を採用しているが、ワイヤ等で引っ張ることによって規制部材を解放位置側に変位させることもできる。
さらに、規制部材を変位させる力を棒やワイヤ等に伝達するための構造も、実施例のような構造に限るものではなく、さまざまな形態とできる。
【００３８】
あるいは、規制部材（揺動板）を上下方向に揺動させる構成としているが、水平方向に揺動させる構成とすることもできる。その二例を図７、図８を参照して、変形例１、２として説明する。
（変形例１）
図７に示すように、この軸受１６１は、Ｌ字状の本体１６３、規制部材に該当する揺動板１６５、本体１６５に立設されたピン１６７に遊嵌された付勢手段としての捻れコイルばね１６９とから構成されている。
【００３９】
本体１６３には、鉛直部１７１ら水平部１７３にかけて打抜孔１７７が設けられ、その打抜孔１７７の内で水平部１７３に設けられている部分が軸挿通溝１７７ａとなっている。軸挿通溝１７７ａは入口側（鉛直部１７１側）で広がる略Ｕ字状をしており、この入口側がヒンジ軸（図示略）側に向けられる。なお、水平部１７３の下面側には、軸挿通溝１７７ａの一縁に沿って垂下されたストッパ１７７ｂが設けられている。
【００４０】
揺動板１６５には、ピン１６７を挿通させる軸受部１８１が設けられており、ピン１６７を軸として揺動自在である。また、捻れコイルばね１６９の一方の端部１８３は本体１６３の鉛直部１７１に係止され、他方の端部１８５は揺動板１６５を貫通している。
このため、揺動板１６５は、通常は捻れコイルばね１６９の付勢力によって先端１８７をストッパ１７７ｂに当接させている。このとき、図７（ａ）に示されるように揺動板１６５の先端１８７が軸挿通溝１７７ａを閉じる状態になっている。
【００４１】
このような構造であるので、扉１４を本体１２に取付ける場合には、実施例の場合と同様に、軸挿通溝１７７ａ内にヒンジ軸が入る位置にして、扉１４を本体１２に向けて平行移動させる。すると、ヒンジ軸が揺動板１６５に当たってこれを捻れコイルばね１６９の付勢力に抗して、先端１８７を図７（ａ）における反時計回り方向に揺動変位させる。さらに扉１４と本体１２とが接近しほぼ接触する状態になったときには、ヒンジ軸が揺動板１６５の面上を通過して軸挿通溝１７７ａの端部に達する。すると、ヒンジ軸による押圧を解除された揺動板１６５は、捻れコイルばね１６９の付勢力によって先端１８７を時計回り方向に揺動させてストッパ１７７ｂに当接させる。これにより、先端１８７が軸挿通溝１７７ａを閉じるので、ヒンジ軸は軸挿通溝１７７ａの開放端側への移動を阻止される。このとき他のヒンジ機構も同様の状態となっており、扉１４が本体１２に取付けられたことになる。
【００４２】
さらに、実施例で示した解錠機構と同様に、扉１４を開くための力が及ぼされたときに揺動板１６５を図７（ａ）における反時計回り方向に揺動変位させる機構を用いれば、実施例の場合と同様に扉１４を左右どちら側でも開くことができる。
（変形例２）
図８に示すように、この軸受１６２は、Ｌ字状の本体１６４、規制部材に該当する揺動板１６６、本体１６４に立設されたピン１６８と揺動板１６６とに掛け渡された付勢手段としての引っ張りコイルばね１７０とから構成されている。
【００４３】
本体１６４には、鉛直部１７２から水平部１７４にかけて打抜孔１７６が設けられ、その打抜孔１７６の内で水平部１７４に設けられている部分が軸挿通溝１７８となっている。軸挿通溝１７８は入口側（鉛直部１７２側）で広がる略Ｕ字状をしており、この入口側がヒンジ軸（図示略）側に向けられる。なお、水平部１７４の下面側には、軸挿通溝１７８の一縁に沿って垂下されたストッパ１７５が設けられている。また、打抜孔１７６の鉛直部１７２に設けられた部分には、横方向に延びる板保持部１７９が設けられており、その板保持部１７９の下辺側には段差１８０が設けられている。
【００４４】
揺動板１６６には、一対のくびれ１８２ａ、１８２ｂが設けられており、このくびれ１８２ａ、１８２ｂ部分を打抜孔７６の板保持部１７９に位置させて、打抜孔１７６を貫通している。揺動板１６６の一方のくびれ１８２ａは段差１８０と互いに噛み合っており、他方のくびれ１８２ｂは打抜孔７６の縁を挿通させている。また、揺動板１６６にはばね孔１８４が穿設され、このばね孔１８４に引っ張りコイルばね１７０の一方の端が連結されている。このため、揺動板１６６には、くびれ１８２ａ、１８２ｂ付近を支点として水平方向に揺動可能であり、通常は引っ張りコイルばね１７０の付勢力によって先端１８６をストッパ１７５に当接させている。このとき、図８（ｃ）に示されるように揺動板１６６の先端１８６が軸挿通溝１７８を閉じる状態になっている。なお、くびれ１８２ａは、揺動板１６６が本体１６４から離脱するのを防止している。
【００４５】
このような構造であるので、扉１４を本体１２に取付ける場合には、実施例の場合と同様に、軸挿通溝１７８内にヒンジ軸が入る位置にして、扉１４を本体１２に向けて平行移動させる。すると、ヒンジ軸が揺動板１６６に当たってこれを引っ張りコイルばね１７０の付勢力に抗して、先端１８６を図８（ｃ）における反時計回り方向に揺動変位させる。さらに扉１４と本体１２とが接近しほぼ接触する状態になったときには、ヒンジ軸が揺動板１６６の面上を通過して軸挿通溝１７８の端部に達する。すると、ヒンジ軸による押圧を解除された揺動板１６６は、引っ張りコイルばね１７０の付勢力によって先端１８６を時計回り方向に揺動させてストッパ１７５に当接させる。これにより、先端１８６が軸挿通溝１７８を閉じるので、ヒンジ軸は軸挿通溝１７８の開放端側への移動を阻止される。このとき他のヒンジ機構も同様の状態となっており、扉１４が本体１２に取付けられたことになる。
【００４６】
さらに、実施例で示した解錠機構と同様に、扉１４を開くための力が及ぼされたときに揺動板１６６を図８（ｃ）における反時計回り方向に揺動変位させる機構を用いれば、実施例の場合と同様に扉１４を左右どちら側でも開くことができる。
【図面の簡単な説明】
【図１】  実施例の冷蔵庫の正面図である。
【図２】  実施例のヒンジ機構の説明図であり、図２（ａ）はヒンジ軸部分の正面図、図２（ｂ）は軸受部分の平面図、図２（ｃ）はヒンジ機構付近の断面図である。
【図３】  実施例の軸受の説明図であり、図３（ａ）は側面側断面図、図３（ｂ）は正面図、図３（ｃ）は平面図である。
【図４】  実施例の解錠機構が閉扉位置にあるときの説明図であり、図４（ａ）は扉の凹陥部付近の水平方向断面図、図４（ｂ）は解錠部材、回動部材、受板、突上棒および押下棒の配置の説明図、図４（ｃ）は突上棒とヒンジ機構の関係の説明図、図４（ｄ）は押下棒とヒンジ機構の関係の説明図である。
【図５】  実施例の解錠機構が開扉位置にあるときの説明図であり、図５（ａ）は扉の凹陥部付近の水平方向断面図、図５（ｂ）は解錠部材、回動部材、受板、突上棒および押下棒の配置の説明図、図５（ｃ）は突上棒とヒンジ機構の関係の説明図、図５（ｄ）は押下棒とヒンジ機構の関係の説明図である。
【図６】  実施例の冷蔵庫において扉を本体に取付ける際の説明図であり、図６（ａ）は取付け開始時の、図６（ｂ）は取付け途中の、図６（ｃ）は取付け完了時の説明図である。
【図７】  変形例１の軸受の構造の説明図であり、図７（ａ）は一部破断平面図、図７（ｂ）は一部破断正面図、図７（ｃ）は側面側断面図である。
【図８】  変形例２の軸受の構造の説明図であり、図８（ａ）は正面図、図８（ｂ）は側面側断面図、図８（ｃ）は平面図である。
【符号の説明】
１０…冷蔵庫、１２…本体（本体側）、１４…扉、１６ａ〜１６ｄ…ヒンジ機構、１８ａ…凹陥部、１８ｂ…凹陥部、２０ａ…右解錠機構（右側開扉手段）、２０ｂ…左解錠機構（左側開扉手段）、２２…ヒンジ軸、２６…ヒンジ軸、６２…軸受、６６…揺動板（規制部材）、７０…引っ張りコイルバネ（付勢部材）、７８…軸挿通溝、９４…突上棒、９４ａ…押下棒、９６…受板、９６ａ…受板、９８…回動部材、９８ａ…回動部材、１０２…径方向突起、１０２ａ…径方向突起、１０４…軸方向突起、１０４ａ…軸方向突起、１０６…軸、１０６ａ…軸、１０８…軸受孔、１１４…解錠部材、１１６…取っ手部、１１８…駆動部、１２０…軸、１２２…板バネ、１２４…回転規制部。
【図１】
0003748685.tif 000002
【図２】
0003748685.tif 000003
【図３】
0003748685.tif 000004
【図４】
0003748685.tif 000005
【図５】
0003748685.tif 000006
【図６】
0003748685.tif 000007
【図７】
0003748685.tif 000008
【図８】
0003748685.tif 000009